(57)【特許請求の範囲】
【請求項１】
両者の少なくとも一方の開口によってアパーチャを形成しているシャッタ基板及びカバー板と、前記シャッタ基板と前記カバー板との間に配置されていて前記アパーチャを開閉する複数枚のシャッタ羽根と、各々が前記シャッタ羽根を枢支していて前記アパーチャの側方位置に回転可能に取り付けられているシャッタ作動部材及びアームと、を備えていて、前記シャッタ作動部材は、セット部材と係合し得る係合部を有する前記取り付け位置近傍の駆動部と、前記シャッタ羽根を枢支しているアーム部とが、合成樹脂の一体成形にて構成されていて、セット時には前記係合部を前記セット部材に押されて回動し、露光時には駆動源によって回動されることを特徴とするカメラ用フォーカルプレンシャッタ。
【請求項２】
前記シャッタ作動部材のアーム部に、先端部へ向かって順次薄くなるようにして複数の段面を形成し、前記複数枚のシャッタ羽根を各段面に別々に支持するようにしたことを特徴とする請求項１に記載のカメラ用フォーカルプレンシャッタ。
【請求項３】
前記シャッタ作動部材の回転軸は、その両端部が前記シャッタ基板と前記カバー板とに支持されていることを特徴とする請求項１又は２に記載のカメラ用フォーカルプレンシャッタ。
【発明の詳細な説明】
【０００１】
【産業上の利用分野】
本発明は、先羽根群と後羽根群を順次同方向へ走行させて撮影を行うカメラ用フォーカルプレンシャッタに関する。
【０００２】
【従来の技術】
先羽根群と後羽根群とを夫々複数のアームに軸支したフォーカルプレンシャッタは周知である。それらのうち、各羽根群を二つのアームで支持する場合の一例を、図６によって説明する。シャッタ基板１には所定の間隔で夫々中間板２，カバー板３が取り付けられ、夫々の開口１ａ，２ａ，３ａの合成によって略長方形の露光用アパーチャを形成している。また、シャッタ基板１の表面側には軸１ｂ，１ｃ，１ｄが植設されており、軸１ｂ，１ｃには夫々先羽根駆動レバー４，後羽根駆動レバー５が回転可能に取り付けられ、軸１ｄにはセットレバー６が回転可能に取り付けられている。
【０００３】
先羽根駆動レバー４，後羽根駆動レバー５は、夫々、鉄片部材の取付部４ａ，５ａを有しており、露光走行開始前にはセット位置において該鉄片部材が釈放型電磁石に吸着保持され、露光走行時には該電磁石から順次釈放され、図示していないバネによって時計方向に回転されるようになっている。セットレバー６は、フィルムの巻き上げに連動して時計方向に回転し、先羽根駆動レバー４，後羽根駆動レバー５を、それらの背面に設けられた図示していない係合部を押すことによって、セット位置まで反時計方向へ回転させるようになっている。
【０００４】
シャッタ基板１と中間板２との間には４枚構成の後羽根群７が配置されており、後羽根７ａ，７ｂ，７ｃ，７ｄは二つのアーム８，９に各２箇所で連結されている。それらの連結は頭部を有するリベット型の連結軸１０を、各アーム８，９及び各羽根７ａ，７ｂ，７ｃ，７ｄに形成された孔にアーム８，９側から挿入し、その先端を各羽根７ａ，７ｂ，７ｃ，７ｄにかしめている。従って、図においては明瞭には示されていないが、連結軸１０の頭部がアーム８，９の表面に突き出た状態となっている。
【０００５】
アーム８の基部にはスリーブ８ａがかしめられており、このスリーブ８ａがシャッタ基板１の背面に植設された軸１ｅに回転可能に嵌合している。また、アーム９の孔９ａはシャッタ基板１の背面に植設された軸１ｆに回転可能に嵌合している。後羽根駆動レバー５の駆動ピン５ｂは、シャッタ基板１に形成された円弧状のスロット１ｈ，及びアーム８の孔８ｂを貫通し、その先端がカバー板３に形成された円弧状のスロット３ｃに嵌合している。従って、後羽根駆動レバー５が時計方向へ回転するときには後羽根群７は展開状態となってアパーチャを閉じ、反時計方向へ回転するときには折り畳まれてアパーチャから退く。
【０００６】
このようにして後羽根群７を作動させるに当たり、各羽根相互間の重なりを密にし作動を安定させるために、羽根の先端位置には羽根押さえ部材１１が設けられている。この羽根押さえ部材１１とスリーブ８ａの存在によって、アーム８，９と後羽根群７は中間板２側に寄せられ、上記した連結軸１０の頭部がシャッタ基板１の背面に接しないようにされているが、シャッタ全体を薄型に保つためにはスリーブ８ａの軸方向寸法を余り大きくできないことと、実際にはアーム８，９と後羽根群７が撓んでしまうことから、アーム８，９と後羽根７ａを連結している連結ピン１０の頭部がシャッタ基板１の背面に接してしまう。そのため該連結ピン１０の頭部が接しないようにするために、シャッタ基板１の背面には該頭部の作動軌跡に合わせて図示していない肉薄の逃げ溝が形成されている。
【０００７】
中間板２とカバー板３との間には４枚構成の先羽根群１２が配置されており、各先羽根１２ａ，１２ｂ，１２ｃ，１２ｄは後羽根群７の場合と同様にして連結軸１５によって二つのアーム１３，１４に２箇所で連結されている。先羽根群１２の場合は、後羽根群７を裏返した状態で配置されているため、連結軸１５の頭部はカバー板３側に突き出ており、図面上では各先羽根とのかしめ部が示されている。アーム１３の基部にはスリーブ１３ａがカバー板３側に向けてかしめられており、このスリーブ１３ａがシャッタ基板１の背面に植設された軸１ｉに回転可能に嵌合している。また、アーム１４の孔１４ａはシャッタ基板１の背面に植設された軸１ｊに回転可能に嵌合している。
【０００８】
先羽根駆動レバー４の駆動ピン４ｂは、シャッタ基板１に形成された円弧状のスロット１ｇ，及びアーム１３の孔１３ｂを貫通し、その先端がカバー板３に形成された円弧状のスロット３ｂに嵌合している。従って、先羽根駆動レバー４が時計方向へ回転するときには先羽根群１２は折り畳まれてアパーチャから退き、反時計方向へ回転するときには展開状態となってアパーチャを閉じる。各先羽根の先端位置には羽根押さえ部材１６が設けられており、この羽根押さえ部材１６とスリーブ１３ａの存在理由については、上記した後羽根群７についての説明と同じである。尚、アーム９の孔９ｂ、及びアーム１４の孔１４ｂはいずれもバネ掛け用の孔であり、該バネにより駆動ピン４ｂ，５ｂと孔８ｂ，１３ｂとのガタ寄せを行うようにして作動の安定化を図っている。
【０００９】
【発明が解決しようとする課題】
然るに、図６に示したような従来のフォーカルプレンシャッタにおいては、駆動レバー５とアーム８を別部品としているが故に、単に部品点数が２部品となるだけではなく、駆動ピン５ｂと孔８ｂとの嵌合ガタにより羽根群７の作動が安定せず、そのためバネ等の弾性手段を用いてガタを無くす工夫を講じなければならなかった。また、組立時には、駆動レバー５はシャッタ基板１の表面側に、アーム８は背面側に組み付けなければならず、そのために組立作業工数も大きくなるという問題点があった。更に、上記した従来のフォーカルプレンシャッタにおいては、アーム８にスリーブ８ａをかしめており、これによる部品点数，作業工数の増加も無視できないものであった。
【００１０】
本発明は、このような問題点を解決するためになされたものであり、その目的とするところは、部品点数及び作業工数を削減しコストを低減したシャッタ羽根作動機構を有するカメラ用フォーカルプレンシャッタを提供することである。
【００１１】
【課題を解決するための手段及び作用】
上記の目的を達成するために、本発明におけるカメラ用フォーカルプレンシャッタは、
両者の少なくとも一方の開口によってアパーチャを形成しているシャッタ基板及びカバー板と、前記シャッタ基板と前記カバー板との間に配置されていて前記アパーチャを開閉する複数枚のシャッタ羽根と、各々が前記シャッタ羽根を枢支していて前記アパーチャの側方位置に回転可能に取り付けられているシャッタ作動部材及びアームと、を備えていて、前記シャッタ作動部材は、セット部材と係合し得る係合部を有する前記取り付け位置近傍の駆動部と、前記シャッタ羽根を枢支しているアーム部とが、合成樹脂の一体成形にて構成されていて、セット時には前記係合部を前記セット部材に押されて回動し、露光時には駆動源によって回動されるようにする。
【００１２】
また、本発明におけるカメラ用フォーカルプレンシャッタは、好ましくは、前記シャッタ作動部材のアーム部に、先端部へ向かって順次薄くなるようにして複数の段面を形成し、前記複数枚のシャッタ羽根を各段面に別々に支持するようにする。
【００１３】
【実施例】
第１実施例
本発明の第１実施例を図１乃至図３を用いて説明する。図１は本実施例の分解斜視図である。図２は本実施例の要部の拡大斜視図であり、図（ａ）は後羽根群の折り畳み状態を、図（ｂ）は先羽根群の折り畳み状態を示している。図３は本実施例の羽根作動部材と羽根群との連結状態の説明図であり、図（ａ）は後羽根群の場合を、図（ｂ）は先羽根群の場合を示している。
【００１４】
先ず、本実施例の構成を説明する。図１において、シャッタ基板２１には所定の間隔で夫々中間板２２，カバー板２３が取り付けられ、夫々の開口２１ａ，２２ａ，２３ａを合成して略長方形の露光用アパーチャを形成している。また、シャッタ基板２１の表面側には軸２１ｂが植設され、セットレバー２４が回転可能に取り付けられている。シャッタ基板２１とカバー板２３には夫々斜面２１ｃ，２３ｂを形成し、その斜面２１ｃ，２３ｂより右側を厚くすることによって、図６の従来例における羽根押さえ部材１１，１６を省くようにしている。
【００１５】
カバー板２３には軸２３ｃ，２３ｄ，２３ｅ，２３ｆが植設されており、軸２３ｃには先羽根作動部材２５が、軸２３ｄには後羽根作動部材２６が、夫々回転可能に取り付けられている。また、軸２３ｅにはアーム２７が、軸２３ｆにはアーム２８が、夫々回転可能に取り付けられている。先羽根作動部材２５と後羽根作動部材２６には、取り付け位置近傍の駆動部に、露光走行開始前のセット位置において釈放型電磁石に吸着保持される鉄片部材の取付部２５ａ，２６ａが設けられている。そして、各羽根作動部材２５，２６は、露光走行開始前にはセット位置において該鉄片部材が釈放型電磁石に吸着保持され、露光走行時には該電磁石から順次釈放され、図示していないバネによって時計方向に回転されるようになっている。また、セットレバー２４は、フィルムの巻き上げに連動して時計方向に回転し、各羽根作動部材２５，２６を、それらの背面に設けられた図示していない係合部を押すことによって、セット位置まで反時計方向へ回転させるようになっている。アーム２７，２８には上記の従来例におけるバネ掛け用の孔９ｂ，１４ｂに相当するものが形成されていない。羽根作動部材２５，２６、アーム２７，２８が各軸２３ｃ，２３ｄ，２３ｅ，２３ｆに取り付けられた後には、上記電磁石を取り付けた図示していない板が軸２３ｃ，２３ｄの先端にカバー板２３に対し平行にして取り付けられる。
【００１６】
４枚構成の先羽根群２９は、各羽根２９ａ，２９ｂ，２９ｃ，２９ｄ毎に連結軸３０によって先羽根作動部材２５とアーム２７に枢支されており、同じようにして後羽根群３１も各羽根３１ａ，３１ｂ，３１ｃ，３１ｄが後羽根作動部材２６とアーム２８に連結軸３２によって枢支されている。従って、後羽根作動部材２６が時計方向へ回転するときには後羽根群３１は展開状態となってアパーチャを閉じ、反時計方向へ回転するときには折り畳まれてアパーチャから退くようになっており、先羽根作動部材２５が時計方向へ回転するときには先羽根群２９は折り畳まれてアパーチャから退き、反時計方向へ回転するときには展開状態となってアパーチャを閉じるようになっている。
【００１７】
これらの各羽根群２９，３１の各枢支構成は、図２及び図３に拡大して示したように、図６の従来例の場合と同様にして、相対的に裏返した状態に構成されている。各羽根作動部材２５，２６は合成樹脂製であって、そのアーム部は先端に行くにしたがって薄くなるように段部２５ｂ，２５ｃ，２５ｄ，２５ｅ、及び段部２６ｂ，２６ｃ，２６ｄ，２６ｅが形成され、各段部において先羽根２９ｄ，２９ｃ，２９ｂ，２９ａ、及び後羽根３１ｄ，３１ｃ，３１ｂ，３１ａが枢支されている。
【００１８】
連結軸３２によって後羽根作動部材２６と後羽根３１ｄとを連結させている様子が後羽根作動部材２６の一部を断面して図３（ａ）に示されている。このように各連結軸３２の頭は、後羽根作動部材２６に形成された孔の大径部２６ｆ内に埋設され、後羽根作動部材２６の表面には突き出ていない。このような構成は、後羽根群３１の全ての枢支部のみならず、先羽根作動部材２５と先羽根群２９との全ての枢支部についても同様である。他方、アーム２７，２８は従来通り薄い板材であるため、それらと先羽根群２９及び後羽根群３１との枢支部においては、各連結軸３０，３２の頭はアーム２７，２８の表面から突き出ている。しかし、カバー板２３への組付け状態において各羽根作動部材２５，２６の表面レベルより突き出ることはない。
【００１９】
本実施例は上記のような構成をしているから、部品点数が少なくなるだけではなく、図６における各羽根駆動レバー４，５の駆動ピン４ｂ，５ｂと、アーム８，１３の孔８ｂ，１３ｂとの嵌合調整を配慮する必要がなく、また各羽根作動部材２５，２６の開閉機構部の組付けは、軸２３ｃ，２３ｄ，２３ｅ，２３ｆに対して一方向からのみ、即ち図１において上方からのみ順に組付ければよいので、図６に示した従来例のようにシャッタ基板１の表裏両面から軸１ｂ，１ｃ，１ｅ，１ｆ，１ｉ，１ｊに組付ける場合に比較して、格段に作業性が良好となる。更に、各羽根群２９，３１は一枚ずつ羽根作動部材２５，２６の段部に枢支させているので、図３に示すように各羽根作動部材２５，２６の姿勢を水平に、ひいては各羽根群２９，３１の姿勢を略水平に支持させることが可能となり、各羽根群２９，３１の作動がより安定化する。
【００２０】
第２実施例
本発明の第２実施例を図４及び図５を用いて説明する。図４は本実施例の分解斜視図である。図５は本実施例の要部の拡大断面図であり、図（ａ）は後羽根群の場合を、図（ｂ）は先羽根群の場合を示している。本実施例が第１実施例と異なる点は、主として各羽根作動部材の支持構成にあるので、第１実施例と共通する構成部については簡略して、以下に本実施例の構成を説明する。
【００２１】
図４において、シャッタ基板４１には所定の間隔で夫々中間板４２，カバー板４３が取り付けられ、それらには夫々開口４１ａ，４２ａ，４３ａが形成されている。シャッタ基板４１の軸４１ｂにはセットレバー４４が回転可能に取り付けられ、Ｌ状の折曲部４１ｃ，４１ｄには軸受けのために孔４１ｅ，４１ｆが形成されている。また、シャッタ基板４１とカバー板４３には第１実施例の場合と同じ位置に夫々斜面４１ｇ，４３ｂが形成されている。
【００２２】
カバー板４３には軸受け部４３ｃ，４３ｄ、軸４３ｅ，４３ｆ、遮光部４３ｇが設けられている。この遮光部４３ｇは、一眼レフカメラにおいて主にファインダ光学系からの光など上方からの光が三枚の板４１，４２，４３の間に侵入しないようにしている。先羽根作動部材４５は表裏に同心的に設けられた軸４５ａ，４５ｂによって孔４１ｅ，軸受け部４３ｃに回転可能に取り付けられ、後羽根作動部材４６は同様にして軸４６ａ，４６ｂによって孔４１ｆ，軸受け部４３ｄに取り付けられている。また、先羽根作動部材４５と後羽根作動部材４６には、電磁石に吸着保持される鉄片部材の取付部４５ｃ，４６ｃが設けられている。
【００２３】
先羽根群４９は、各羽根４９ａ，４９ｂ，４９ｃ，４９ｄが連結軸５０によって先羽根作動部材４５とアーム４７に枢支され、後羽根群５１も各羽根５１ａ，５１ｂ，５１ｃ，５１ｄが後羽根作動部材４６とアーム４８に連結軸５２によって枢支されている。図５に拡大して示したように、各羽根作動部材４５，４６は合成樹脂製であって、そのアーム部は先端に向けて順次薄くなるように段部４５ｄ，４５ｅ，４５ｆ，４５ｇ、及び段部４６ｄ，４６ｅ，４６ｆ，４６ｇが形成され、各段部において先羽根４９ｄ，４９ｃ，４９ｂ，４９ａ、及び後羽根５１ｄ，５１ｃ，５１ｂ，５１ａが枢支されている。連結軸５０による先羽根作動部材４５と先羽根群４９との連結、及び連結軸５２による後羽根作動部材４６と後羽根群５１との連結は、第１実施例の場合と同様にして行われており、また、アーム４７，４８と各羽根群４９，５１との連結も第１実施例の場合と同様にして行われている。
【００２４】
本実施例はこのような構成をしているから、第１実施例の場合と同様に、部品点数が少なくなるだけではなく、図６における駆動ピン４ｂ，５ｂと、孔８ｂ，１３ｂとの嵌合調整を配慮する必要がなく、また開閉機構部の組付けは、軸受け部４３ｃ，４３ｄ、軸４３ｅ，４３ｆに対して図４において上方からのみ順に組付ければよいので、従来例の場合に比較して、格段に作業性が良好となる。更に、図５において、各羽根作動部材４５，４６の姿勢を水平に、ひいては各羽根群４９，５１の姿勢を略水平に支持できるので、各羽根群４９，５１の作動がより安定化する。
【００２５】
【発明の効果】
上記のように、本発明は、各シャッタ羽根を夫々連結軸を介して枢支している複数のアームのうちの一つと、アパーチャの側方位置に回転可能に配設され該アームを作動させる駆動部材とを、アーム部と駆動部とからなる合成樹脂製のシャッタ作動部材として一体成形にて構成したものであるから、従来よりも部品点数が削減され、しかも従来のようにアームと駆動部材との連結部に生じる嵌合ガタに対し全く配慮する必要がなくなり、また、組立作業も容易となり工数が大幅に低減される。更に、シャッタ作動部材のアーム部に、先端部へ向かって順次薄くなるようにして複数の段面を形成し、シャッタ羽根を各段面に別々に支持するようにした場合には、各羽根の姿勢を好適に保ち羽根の作動を安定させることが可能となる。
【図面の簡単な説明】
【図１】本発明の第１実施例の分解斜視図である。
【図２】第１実施例の要部の拡大斜視図であり、図（ａ）は後羽根群の折り畳み状態を、図（ｂ）は先羽根群の折り畳み状態を示している。
【図３】第１実施例の羽根作動部材と羽根群との連結状態の説明図であり、図（ａ）は後羽根群の場合を、図（ｂ）は先羽根群の場合を示している。
【図４】本発明の第２実施例の分解斜視図である。
【図５】第２実施例の要部の拡大断面図であり、図（ａ）は後羽根群の場合を、図（ｂ）は先羽根群の場合を示している。
【図６】従来例の分解斜視図である。
【符号の説明】
２１，４１                        シャッタ基板
２１ａ，２２ａ，２３ａ，４１ａ，４２ａ，４３ａ                  開口
２１ｂ，２３ｃ，２３ｄ，２３ｅ，２３ｆ，４１ｂ，４３ｅ，４３ｆ，４５ａ，４５ｂ，４６ａ，４６ｂ            軸
２１ｃ，２３ｂ，４１ｇ，４３ｂ    斜面
２２，４２                        中間板
２３，４３                        カバー板
２４，４４                        セットレバー
２５，４５                        先羽根作動部材
２５ａ，２６ａ，４５ｃ，４６ｃ    取付部
２５ｂ，２５ｃ，２５ｄ，２５ｅ，２６ｂ，２６ｃ，２６ｄ，２６ｅ，４５ｄ，４５ｅ，４５ｆ，４５ｇ，４６ｄ，４６ｅ，４６ｆ，４６ｇ          段部
２６，４６                        後羽根作動部材
２６ｆ                            孔の大径部
２７，２８，４７，４８            アーム
２９，４９                        先羽根群
２９ａ，２９ｂ，２９ｃ，２９ｄ，４９ａ，４９ｂ，４９ｃ，４９ｄ  先羽根
３０，３２，５０，５２            連結軸
３１，５１                        後羽根群
３１ａ，３１ｂ，３１ｃ，３１ｄ，５１ａ，５１ｂ，５１ｃ，５１ｄ  後羽根
４１ｃ，４１ｄ                    折曲部
４１ｅ，４１ｆ                    孔
４３ｃ，４３ｄ                    軸受け部
４３ｇ                            遮光部
【図１】
0003634895.tif 000002
【図２】
0003634895.tif 000003
【図３】
0003634895.tif 000004
【図４】
0003634895.tif 000005
【図５】
0003634895.tif 000006
【図６】
0003634895.tif 000007